(57)【要約】      （修正有）【課題】仕様の異なる記録媒体を使用する場合であっても、記録媒体の安定搬送を実現するプリンターを提供する。【解決手段】記録媒体を搬送経路３２に沿って搬送する記録媒体搬送機構３０と、前記記録媒体の搬送方向と交差する方向に往復移動可能な記録ヘッド５１とを備え、外装ケース１１によって覆われるプリンター１０であって、記録媒体搬送機構３０は、少なくとも、搬送経路３２を横断する方向に延出する主動ローラー４２と、主動ローラー４２に押圧される回転自在の従動ローラーと、従動ローラーを支持するとともに、主動ローラー４２と離反する方向に回動可能な支持部材４４と、を備え、外装ケース１１は、外殻を構成する本体ケース１２と、支持部材４４、搬送経路３２の一部、および記録ヘッド５１の移動範囲を覆うとともに、本体ケース１２に対して開閉自在に支持される開閉カバー１３と、を備える。【選択図】図６
2016147423.tif 000002
【特許請求の範囲】
【請求項１】
情報が記録される記録媒体を、平面領域を有する搬送経路に沿って搬送する記録媒体搬送機構と、前記記録媒体の搬送方向と交差する方向に往復移動可能な記録ヘッドとを備え、外殻を外装ケースによって覆われるプリンターであって、
前記記録媒体搬送機構は、少なくとも、前記搬送経路を横断する方向に延出する主動ローラーと、
前記主動ローラーに所定の圧力で押圧される回転自在の従動ローラーと、
前記従動ローラーを支持するとともに、前記主動ローラーと離反する方向に回動可能な支持部材と、を備え、
前記外装ケースは、外殻を構成する本体ケースと、
前記支持部材、前記搬送経路の一部、および前記記録ヘッドの移動範囲を覆うとともに、前記本体ケースに対して開閉自在に支持される開閉カバーと、を備えることを特徴とするプリンター。
【請求項２】
前記開閉カバーおよび前記支持部材の回動方向は同一な方向であり、
開動作においては、前記開閉カバーおよび前記支持部材は、独立して回動し、
前記開閉カバーおよび前記支持部材が共に開状態からの閉動作においては、前記開閉カバーの閉動作に連動して前記支持部材が閉動作を行うことを特徴とする請求項１に記載のプリンター。
【請求項３】
前記開閉カバーは、回動方向と交差する第１面を有し、
前記支持部材は、回動中心と相反する位置に突起部を有し、
前記第１面の回動領域内に、前記支持部材の前記突起部の回動範囲が設定されていることを特徴とする請求項１または２に記載のプリンター。
【請求項４】
前記開閉カバーは、回動方向と交差する第１面を有し、
前記支持部材は、開状態において、回動中心と相反する位置にある部位が前記第１面に接していることを特徴とする請求項１または２に記載のプリンター。
【発明の詳細な説明】
【技術分野】
【０００１】
本発明は、搬送される記録媒体に情報を記録するプリンターに関する。
【背景技術】
【０００２】
情報が記録される記録媒体を平面に沿って搬送する記録媒体搬送機構と、複数の記録ワイヤーを備える記録ヘッドとを備え、記録ヘッドを記録媒体の搬送方向と交差する方向に移動させながら、インクを含浸するインクリボンを介して、平面に沿って搬送される記録媒体に情報を記録するドットインパクト方式のプリンターが知られている（例えば、特許文献１参照）。この種のプリンターは、記録媒体が平面に沿って搬送されるため、複数枚積層された複写紙、厚みの異なる単票紙および用紙が積層され一辺が綴じられた冊子等、多くの種類の記録媒体に情報を記録することができる。
【先行技術文献】
【特許文献】
【０００３】
【特許文献１】特開２００３−２６６８７３号公報
【発明の概要】
【発明が解決しようとする課題】
【０００４】
上述のプリンターは、多様な記録媒体に情報を記録できることを理由に様々な業務分野で用いられる。プリンターは、業務態様によって用いられ方が異なる。例えば、記録媒体の種類や設置場所に応じて、記録媒体の挿入方向を前後に変更したいとの要求もある。しかし、記録ヘッドによる記録位置の周辺にはリボンカセットのリボンを含め種々の機構や部品が配置されている。そのため、種類、特に厚みが異なる記録媒体をこのようなプリンターに挿入し搬送すると機構や部品等に引っ掛かり紙ジャム等の不具合が発生する虞がある。すなわち、異なる仕様の記録媒体を異なる方向から挿入するような使い方に対して、安定した記録媒体の搬送が困難であるという課題がある。
【課題を解決するための手段】
【０００５】
本発明は、上述の課題の少なくとも一部を解決するためになされたものであり、以下の形態または適用例として実現することが可能である。
【０００６】
（適用例１）情報が記録される記録媒体を、平面領域を有する搬送経路に沿って搬送する記録媒体搬送機構と、前記記録媒体の搬送方向と交差する方向に往復移動可能な記録ヘッドとを備え、外殻を外装ケースによって覆われるプリンターであって、前記記録媒体搬送機構は、少なくとも、前記搬送経路を横断する方向に延出する主動ローラーと、前記主動ローラーに所定の圧力で押圧される回転自在の従動ローラーと、前記従動ローラーを支持するとともに、前記主動ローラーと離反する方向に回動可能な支持部材と、を備え、前記外装ケースは、外殻を構成する本体ケースと、前記支持部材、前記搬送経路の一部、および前記記録ヘッドの移動範囲を覆うとともに、前記本体ケースに対して開閉自在に支持される開閉カバーと、を備えることを特徴とするプリンター。
【０００７】
この構成によれば、プリンターは、本体ケースに設けられた開閉カバーを開くことによって、記録媒体搬送機構の従動ローラーを支持する支持部材、搬送経路の一部、および記録ヘッドの移動範囲を露出させることができる。さらに、支持部材は、回動されることによって、従動ローラーと主動ローラーと離反し、主動ローラー部分を露出することができる。そのため、異なる仕様の記録媒体を異なる方向から挿入し、記録媒体が周辺の部品や機構に引っ掛かったりする不具合が発生したとしても、開閉カバーや支持部材を回動操作することによって、容易に除去し回復させることができる。その結果、異なる仕様の記録媒体であっても安定した記録媒体の搬送が実現できる。
【０００８】
（適用例２）前記開閉カバーおよび前記支持部材の回動方向は同一な方向であり、開動作においては、前記開閉カバーおよび前記支持部材は、独立して回動し、前記開閉カバーおよび前記支持部材が共に開状態からの閉動作においては、前記開閉カバーの閉動作に連動して前記支持部材が閉動作を行うことを特徴とする上記のプリンター。
【０００９】
この構成によれば、開閉カバーおよび支持部材を独立して開くことができる。そのため、例えば、リボンカセットの交換等のメンテナンスのときは、開閉カバーのみを開いて実施し、記録媒体の引っ掛かりの除去や記録ヘッドのメンテナンスのときは、支持部材をも開いて実施する等、状況に応じた動作を行うことができる。また、開閉カバーおよび支持部材が共に開いてメンテナンス等を行った場合は、開閉カバーを閉じることによって支持部材が自動的に閉じることができる。そのため、支持部材の閉め忘れを防止できるとともに、作業動作を低減することができる。その結果、メンテナンス等の作業が容易な使い勝手のよいプリンターを提供することができる。
【００１０】
（適用例３）前記開閉カバーは、回動方向と交差する第１面を有し、前記支持部材は、回動中心と相反する位置に突起部を有し、前記第１面の回動領域内に、前記支持部材の前記突起部の回動範囲が設定されていることを特徴とする上記のプリンター。
【００１１】
この構成によれば、開閉カバーの閉動作に伴って、開閉カバーの第１面が支持部材の突起部に接触し、第１面のさらなる回動によって、突起部が回動中心を支点に回動する。そのため、開閉カバーの閉動作に連動して支持部材が閉動作を行うことができる。
【００１２】
（適用例４）前記開閉カバーは、回動方向と交差する第１面を有し、前記支持部材は、開状態において、回動中心と相反する位置にある部位が前記第１面に接していることを特徴とする上記のプリンター。
【００１３】
この構成によれば、開閉カバーの閉動作に伴って、開閉カバーの第１面に接する支持部材の部位が回動中心を支点に回動する。そのため、開閉カバーの閉動作に連動して支持部材が閉動作を行うことができる。
【図面の簡単な説明】
【００１４】
【図１】本発明に係るプリンターの外観斜視図。
【図２】プリンターに適用される記録媒体の例を示す図。
【図３】プリンター本体の主要構成部分を示す外観斜視図。
【図４】プリンターの側断面図。
【図５】記録媒体搬送機構と記録機構を説明する図。
【図６】開閉カバーが開いた状態を示すプリンターの側断面図。
【図７】開閉カバーと第２押えローラー取り付け部材とが開いた状態を示すプリンターの側断面図。
【発明を実施するための形態】
【００１５】
以下、本実施形態について図面を参照して説明する。なお、以下の説明で参照する図面では、説明および図示の便宜上、部材ないし部分の縦横の縮尺を実際のものとは異なるように表す場合がある。
【００１６】
（プリンターの全体構成について）
まず、プリンターの全体構成について、図１を参照して説明する。図１は本発明に係るプリンターの外観斜視図である。なお、以下の説明では、プリンターとして、記録ワイヤーを備える記録ヘッドを用いて、インクを含浸するインクリボンを介して、記録媒体の記録面に情報を記録するドットインパクト方式のプリンターを例にとって説明する。また、図１に示すＸ方向は記録媒体の搬送方向を示し、Ｙ方向は、記録媒体の幅方向を示し、Ｚ方向は、Ｘ方向およびＹ方向と直交する方向を示す。
【００１７】
図１に示すように、プリンター１０は、後述するプリンター本体２０（図３参照）を内包するように外装ケース１１が設けられている。外装ケース１１は、プラスチック等の成形品が好適に用いられ、本体ケース１２と、開閉カバー１３と、記録媒体ガイド１６とを備える。本体ケース１２は、上ケース１２ａおよび下ケース１２ｂから構成され、略皿状の下ケース１２ｂにはプリンター本体２０が取り付けられ、プリンター本体２０の大部分が上ケース１２ａによって覆われている。
【００１８】
上ケース１２ａおよび下ケース１２ｂの境界部分のＸ（＋）方向には、給排出口１４が設けられ、Ｘ（−）方向には、供給口１５が設けられている。給排出口１４には、記録媒体の供給、排出をガイドする記録媒体ガイド１６が延設されている。記録媒体ガイド１６が設けられている給排出口１４のＺ方向上部には、開閉カバー１３が上ケース１２ａに配設されている。開閉カバー１３は、略長方形の平板形状であり、図中Ｚ（−）方向にある上ケース１２ａとの接合部を支点として図中矢印Ａ方向に回動可能となっている。また、上ケース１２ａのＺ方向の上部部分には、プリンター１０の操作ボタンや表示部が配置されたスイッチパネル１９が設けられている。
【００１９】
記録媒体ガイド１６は、平板状の記録媒体載置面１７を有し、給排出口１４より供給される記録媒体の供給をガイドしたり、情報が記録された排出される記録媒体を載置したりする機能を有する。また、開閉可能な開閉カバー１３は、図中矢印Ａ方向に開かれることによって、外装ケース１１内のプリンター本体２０の後述する搬送経路３２（図４参照）を含む記録媒体搬送機構３０、記録機構５０の一部やリボンカセット８０を露出させることができる。そのため、例えば、リボンカセット８０の交換、記録媒体搬送機構３０や記録機構５０のメンテナンス、記録媒体の搬送上の不具合の修復等を容易に行うことができる。
【００２０】
上述のプリンター１０は、給排出口１４または供給口１５の２方向のいずれかから供給された記録媒体に記録機構５０を用いて情報を記録して、給排出口１４の記録媒体ガイド１６に沿って排出することができる業務用のプリンターである。
【００２１】
（記録媒体について）
ここで、本実施形態に係るプリンターに用いられる記録媒体の例について、図２を参照して説明する。図２（ａ），（ｂ）は、プリンターに適用される記録媒体の例を示す図である。なお、図２に示すＸ方向、Ｙ方向およびＺ方向は、本記録媒体をプリンターに適用した場合に図１に示すＸ方向、Ｙ方向およびＺ方向と同一な方向を示す。
【００２２】
本実施形態に係るドットインパクト方式のプリンター１０は、記録媒体としてファンフォールド紙Ｆ、定型サイズの単票用紙Ｔ等を選択的に使い分ける。ファンフォールド紙Ｆは、例えばロイコ染料等の顕色反応を利用した長尺のノーカーボン用紙や、長尺の用紙Ｐの裏面にカーボンインクを塗布したカーボン用紙を複数枚重ね合わせて構成されている。
【００２３】
図２（ａ）に示すように、ファンフォールド紙Ｆは、長尺の用紙ＰのＸ方向に沿って所定の間隔でミシン目Ｍが設けられＹ方向に切断可能に構成され、ミシン目Ｍ部位で交互に逆方向に折り畳まれ積層される。また、ファンフォールド紙Ｆは、Ｘ方向に沿って両側縁Ｆａ，ＦｂにスプロケットホールＳが所定のピッチで列状に形成されている。スプロケットホールＳは、後述する記録媒体搬送機構３０（図４参照）のトラクターユニット３３のトラクターピンが係合可能である。
【００２４】
このようなファンフォールド紙Ｆは、用途によって重ね合わせられる枚数が設定され、両側縁Ｆａ，Ｆｂ部分が糊付けもしくは部分型押し等で固着されている。そして、プリンター１０の図示しない記録ワイヤーにより圧力が加えられると、ノーカーボン用紙やカーボン用紙は、加圧部分が発色して文字情報等が複写記録される。本実施形態では、ファンフォールド紙Ｆは、図１に示すプリンター１０の供給口１５より供給されて、情報が記録され給排出口１４より排出される。
【００２５】
また、図２（ｂ）に示すように、記録媒体として、例えばＡ４〜Ａ３等の定型サイズや任意のサイズの単票用紙Ｔを用いることもできる。この単票用紙Ｔは、用途に応じ厚みやサイズが異なることがある。本実施形態では、単票用紙Ｔは、図１に示すプリンター１０の給排出口１４より供給されて、情報が記録され同じく給排出口１４より排出される。また、記録媒体は、図示しないが通帳等の複数の用紙を綴じた冊子形態のものや、封筒等の袋状に成形されたものであってもよい。記録媒体の材質は、紙類、合成樹脂製のシート、フィルムであってもよい。また、表面にコーティングや浸潤等の加工を施したものであってもよい。
【００２６】
（プリンター本体について）
次いで、プリンター本体について、図３〜図５を参照して説明する。図３は、プリンター本体の主要構成部分を示す外観斜視図であり、図４は、プリンター本体の側断面図である。図５は、記録媒体搬送機構と記録機構を説明する図である。なお、図３〜図５に示すＸ方向、Ｙ方向およびＺ方向は、図１に示すＸ方向、Ｙ方向およびＺ方向と同一な方向を示す。
【００２７】
図３および図４に示すように、プリンター本体２０は、本体フレーム２２と、記録媒体搬送機構３０と、記録機構５０とを備える。図３に示すように、本体フレーム２２は、板金の曲げ加工等で形成され、プリンター本体２０の下部を構成するベースフレーム２３と、ベースフレーム２３上に立設されたメインフレーム２４と、ベースフレーム２３およびメインフレーム２４のＹ方向両側端部に連結された左サイドフレーム２５、右サイドフレーム２６とからなる。本体フレーム２２は、プリンター本体２０の外殻を形成するとともに、各機構を支持固定する機能を有する。
【００２８】
（記録媒体搬送機構について）
まず、記録媒体搬送機構について説明する。図５に示すように、記録媒体搬送機構３０は、記録媒体が搬送される搬送経路３２に沿って、Ｘ（−）方向、すなわち供給口１５から順にトラクターユニット３３と、第１搬送ローラー対３５と、第２搬送ローラー対４１とを有する。
【００２９】
トラクターユニット３３は、図２に示すファンフォールド紙ＦのスプロケットホールＳに挿入可能なトラクターピン３４ａが形成されたトラクターベルト３４と、トラクターベルト３４が架け渡されている駆動スプロケット３３ａおよび従動スプロケット３３ｂとを備えている。トラクターユニット３３は、搬送されるファンフォールド紙Ｆの幅方向の両端にあるスプロケットホールＳに対応するように搬送経路３２のＹ方向両側に各々配置されている。
【００３０】
駆動スプロケット３３ａは、図示しない送りモーターに連結され、送りモーターより駆動力を得て回動する。そのため、トラクターユニット３３は、トラクターピン３４ａが設けられたトラクターベルト３４を回動させ、トラクターピン３４ａとファンフォールド紙Ｆに形成されたスプロケットホールＳとが順次係合することによって、ファンフォールド紙Ｆを所望の方向に搬送する。なお、トラクターピン３４ａとファンフォールド紙ＦのスプロケットホールＳとが係合する部位は、開閉自在のトラクターカバー３１によってカバーされている。
【００３１】
第１搬送ローラー対３５は、第１送りローラー３６と、第１押えローラー３７とを有している。図３に示すように、第１送りローラー３６は、ゴム等の弾性体等からなる円柱形状の複数のローラー３８と、各々のローラー３８の軸方向を貫くローラー軸３９とから構成され、搬送経路３２を横断するように搬送経路３２のＺ方向上側に設けられている。第１押えローラー３７は、プラスチック等からなる円柱形状のローラーであり、Ｚ方向下方から付勢力によって、搬送経路３２を介して第１送りローラー３６の各々のローラー３８に押し付けるように配置されている。
【００３２】
第１送りローラー３６は、図示しない送りモーターに連結され、送りモーターより駆動力を得て回転する。そのため、第１送りローラー３６と第１押えローラー３７とに挟持される記録媒体を搬送経路３２に沿って正逆任意の方向に搬送することができる。なお、本実施形態では、第１送りローラー３６と第１押えローラー３７とが密着状態で離反できる構造になっていない。但し、レイアウト等を考慮して後述する第２搬送ローラー対４１と同様に離反可能としてもよい。
【００３３】
図５に示すように、第２搬送ローラー対４１は、第１搬送ローラー対３５のＸ（＋）方向に配置され、主動ローラーとしての第２送りローラー４２と、従動ローラーとしての第２押えローラー４３とを有している。第２送りローラー４２は、ゴム等の弾性体等からなる円柱形状の複数のローラー４８（図３参照）と、各々のローラー４８の軸方向を貫くローラー軸４９（図３参照）とから構成され、搬送経路３２を横断するように搬送経路３２のＺ方向下側に設けられている。
【００３４】
第２押えローラー４３は、プラスチック等からなる円柱形状のローラーであり、Ｚ方向上方から付勢力によって、搬送経路３２を介して第２送りローラー４２の各々のローラー４８に押し付けるように配置されている。なお、第２押えローラー４３は、支持部材としての第２押えローラー取り付け部材４４に取り付けられている。第２押えローラー取り付け部材４４は、図５中矢印Ｂ方向に回動自在に設けられ、回動されることにより、第２送りローラー４２と第２押えローラー４３とを圧接または離反させることができる。
【００３５】
第２送りローラー４２は、図示しない送りモーターに連結され、送りモーターより駆動力を得て回転する。そのため、第２送りローラー４２と第２押えローラー４３とに挟持される記録媒体を搬送経路３２に沿って正逆任意の方向に搬送することができる。また、第２搬送ローラー対４１のＸ（＋）方向、すなわち給排出口１４には、前述の記録媒体ガイド１６が配置される。
【００３６】
上述の構成を有する記録媒体搬送機構３０は、供給口１５から供給される記録媒体としてのファンフォールド紙Ｆを、トラクターユニット３３、第１搬送ローラー対３５、第２搬送ローラー対４１によって搬送経路３２に沿ってＸ（＋）方向に搬送し、給排出口１４の記録媒体ガイド１６の記録媒体載置面１７に排出することができる。また、給排出口１４の記録媒体ガイド１６にガイドされ供給される単票用紙Ｔを、第１搬送ローラー対３５および第２搬送ローラー対４１によって、搬送経路３２に沿ってＸ（−）方向およびＸ（＋）方向に正逆方向に搬送し、再度、給排出口１４の記録媒体ガイド１６の記録媒体載置面１７に排出することができる。
【００３７】
（記録媒体検出装置について）
次いで、記録媒体検出装置について説明する。図４に示すように、第２搬送ローラー対４１の第２送りローラー４２近傍には第１記録媒体検出装置５２が設けられている。第１記録媒体検出装置５２は、搬送経路３２のＺ方向下方に設置されている。記録媒体の先端もしくは裏面が接触することで記録媒体の先端位置または有無を検出するセンサーである。第１記録媒体検出装置５２は、略箱形の本体５２ａを備え、この本体５２ａに検出レバー５３と光学式のセンサーユニット５４とが設けられている。検出レバー５３は、上端部である一方の端部が棒状に形成され搬送経路３２に一部突出している。検出レバー５３は、所定の支持部を中心に揺動可能に配置され、他方の端部は、センサーユニット５４の図示しない発光部と受光部との間を横断可能に配置されている。
【００３８】
上述の構造を有する第１記録媒体検出装置５２は、搬送経路３２を搬送される記録媒体の先端もしくは裏面に検出レバー５３の上端部が接触し所定の支持部を中心に揺動する。そして、検出レバー５３の他方の端部がセンサーユニット５４の発光部と受光部との間を横切ることによって記録媒体の先端もしくは有無をセンサーユニット５４の電気信号として検出することができる。また、第１搬送ローラー対３５の近傍に反射型の光学センサーを用いた第２記録媒体検出装置５９を設けることが好ましい。
【００３９】
（記録機構について）
次いで、記録機構について説明する。図３および図５に示す記録機構５０は、搬送経路３２に沿って、第１搬送ローラー対３５と第２搬送ローラー対４１との間に配置され、記録ヘッド５１と、プラテン２１と、キャリッジ６０と、キャリッジ移動機構７０と、リボン送り機構７５とを備える。記録ヘッド５１は、内部に図示しない複数の記録ワイヤーおよびそれに対応する電磁石を有する。記録ヘッド５１は、図示しない制御部から送信される記録信号に従って、電磁石を動作させ記録ワイヤーを選択的に突出する。
【００４０】
記録ヘッド５１は、搬送経路３２側に記録ワイヤーを突出可能な姿勢でキャリッジ６０に搭載される。キャリッジ６０は、材料としてプラスチック等が好適に適用され、キャリッジ本体６１と記録ヘッド保持部６４とを備える。キャリッジ本体６１には、左サイドフレーム２５と右サイドフレーム２６との間に架け渡されるキャリッジ軸２７が摺動自在に挿通されるキャリッジガイド穴６２が設けられている。また、キャリッジ本体６１のＺ（＋）側には、左サイドフレーム２５と右サイドフレーム２６との間に架け渡されるキャリッジガイド板２８を摺動自在に挟み込むキャリッジガイド部６３が設けられている。そのため、キャリッジ６０は、左サイドフレーム２５と右サイドフレーム２６との間をＹ方向に往復移動可能な状態で支持される。
【００４１】
記録ヘッド保持部６４は、図５に示すように記録ヘッド５１を、記録ワイヤーがＺ（−）方向に突出する姿勢で保持する。記録ヘッド５１は、例えばネジ等の締結部品で取り付けられる。記録ヘッド保持部６４は、記録ヘッド５１の記録ワイヤーが収納されるノーズ部分が露出する図示しない開口部のＹ方向両側に、前述のインクリボン８４が摺動する斜面を有するリボンガイド６６を備える。
【００４２】
キャリッジ移動機構７０は、キャリッジ駆動モーターと１対のプーリーと無端ベルトであるキャリッジ駆動ベルトと（いずれも図示省略）を有する。１対のプーリーは、メインフレーム２４のＹ方向両側に各々配置され、いずれか一方がキャリッジ駆動モーターと歯車列を介して連結されている。この１対のプーリーにはキャリッジ駆動ベルトが架け渡されている。キャリッジ６０は、この無端ベルトの一部の位置に連結されている。そのため、記録ヘッド５１を搭載したキャリッジ６０は、キャリッジ駆動モーターの正転および逆転動作によって、キャリッジ軸２７およびキャリッジガイド板２８に支持され、左サイドフレーム２５と右サイドフレーム２６との間をＹ方向に往復移動できる。
【００４３】
プラテン２１は、搬送経路３２を挟んでキャリッジ６０に搭載された記録ヘッド５１の記録ワイヤーの走査領域に対向する位置に設けられている。プラテン２１は、キャリッジ６０の走査方向に沿って延設される平面を有する平プラテンである。このプラテン２１は、記録ヘッド５１による記録位置を規定する。
【００４４】
図５に示すように、リボン送り機構７５は、リボン駆動軸７６を含むリボン駆動伝達ユニット７７を有している。リボン駆動伝達ユニット７７は、図示しないワンウェイクラッチを含む複数の歯車から構成され、キャリッジ移動機構７０の駆動プーリーから動力を得て、キャリッジ６０のいずれかの移動時にリボン駆動軸を回転させる。リボン送り機構７５には、リボンカセット８０が取り付けられる。
【００４５】
図５に示すように、リボンカセット８０は、カセットケース８１によって外部を覆われ、インクを含浸させた長尺の無端形状のインクリボン８４とリボン繰り出しローラー対８５とを内蔵している。このとき、リボン繰り出しローラー対８５は、インクリボン８４の一部分を挟持している。リボンカセット８０をリボン送り機構７５にセットしたとき、リボン駆動伝達ユニット７７のリボン駆動軸７６と、リボンカセット８０のリボン繰り出しローラー対８５のいずれか一方のローラーとが嵌合する。また、このとき、リボンカセット８０の図示しない腕部から張り渡した状態で露出しているインクリボン８４は、記録ヘッド５１の記録ワイヤーが突出する側に摺動可能な状態で巻き付く。
【００４６】
このような構成を有するリボン送り機構７５は、キャリッジ６０がいずれかの方向に移動したとき、リボンカセット８０内のリボン繰り出しローラー対８５のローラーを回動させ、インクリボン８４を、カセットケース８１から順次繰り出し記録ヘッド５１の記録ワイヤーが突出する部分に摺動させながら送ることができる。
【００４７】
（プリンターの動作について）
（ファンフォールド紙の場合）
ここで、上述の構成を有するプリンター１０の動作について説明する。まず、記録媒体として図２に示すファンフォールド紙Ｆを用い、図１に示すプリンター１０の供給口１５より供給し、情報が記録され給排出口１４より排出する場合について説明する。
【００４８】
図４および図５に示すように、プリンター１０の外部に積層されたファンフォールド紙Ｆは順次引き出され、供給口１５から供給されてトラクターユニット３３にセットされる。その後、トラクターユニット３３を駆動させ、ファンフォールド紙Ｆを搬送経路３２に沿ってＸ（＋）方向に搬送して第１搬送ローラー対３５の位置まで到達させる。第１搬送ローラー対３５に至ったファンフォールド紙Ｆは、さらに搬送され記録機構５０の記録位置、すなわち記録ヘッド５１の走査位置に到達する。
【００４９】
第１搬送ローラー対３５を動作させてファンフォールド紙Ｆをさらに搬送し、第２搬送ローラー対４１の方向に進ませる。第２搬送ローラー対４１の近傍には第１記録媒体検出装置５２が設けられているため、第１記録媒体検出装置５２によるファンフォールド紙Ｆの先端検出信号を確認すれば、ファンフォールド紙Ｆが第２搬送ローラー対４１に至ったことおよび第２搬送ローラー対４１に挟持されたことが確認できる。その後、記録機構５０の記録ヘッド５１をＹ方向に往復移動させながら、Ｘ方向に搬送されるファンフォールド紙Ｆの記録面に所望の情報を記録する。情報が記録されたファンフォールド紙Ｆは、これら記録媒体搬送機構３０によってさらに搬送され、プリンター１０の給排出口１４より排出され記録媒体ガイド１６の記録媒体載置面１７に載置される。
【００５０】
（単票用紙の場合）
次いで、記録媒体として図２に示す単票用紙Ｔを用い、図１に示すプリンター１０の給排出口１４より供給し、情報を記録して同じく給排出口１４より排出する場合について説明する。単票用紙Ｔは、一枚ずつ処理される場合があるため、オペレーターが操作する前面の給排出口１４より供給して同じく前面の給排出口１４に排出する場合がある。また、単票用紙Ｔとして、厚みの異なる単票、用紙が積層され一辺が綴じられた冊子、複数枚が積層され単票形式になっているもの等、多くの種類が適用される。
【００５１】
単票用紙Ｔは、プリンター１０の給排出口１４に設けられた記録媒体ガイド１６の記録媒体載置面１７に沿って挿入される。プリンター１０は、挿入される単票用紙Ｔの先端部分が第１記録媒体検出装置５２の検出レバー５３に接触し、検出レバー５３が揺動動作をすることによって単票用紙Ｔの先端位置、単票用紙Ｔが挿入されたことを検出する。この検出をトリガーとし第２搬送ローラー対４１を駆動して、挿入された単票用紙Ｔを搬送経路３２に沿ってＸ（−）方向に搬送する。搬送される単票用紙Ｔは、記録機構５０の記録位置、すなわちプラテン２１位置を経て第１搬送ローラー対３５方向に進む。
【００５２】
この状態で、第２搬送ローラー対４１を動作させて単票用紙Ｔをさらに搬送し、第１搬送ローラー対３５の位置に至らせる。第１搬送ローラー対３５の近傍には第２記録媒体検出装置５９が設けられているため、第２記録媒体検出装置５９による単票用紙Ｔの先端検出信号を確認すれば、単票用紙Ｔが第１搬送ローラー対３５に至ったことおよび第１搬送ローラー対３５に挟持されたことが確認できる。
【００５３】
記録機構５０の記録ヘッド５１をＹ方向に往復移動させながら、Ｘ（−）方向に搬送される単票用紙Ｔの記録面に所望の情報を記録する。情報が記録された単票用紙Ｔは、記録媒体搬送機構３０の第１搬送ローラー対３５および第２搬送ローラー対４１によって逆方向であるＸ（＋）方向に搬送される。情報が記録された単票用紙Ｔは、プリンター１０の給排出口１４より排出され記録媒体ガイド１６の記録媒体載置面１７に載置される。
【００５４】
（開閉カバーと支持部材としての第２押えローラー取り付け部材との関係について）
ここで、本発明に係る開閉カバーと第２押えローラー取り付け部材との関係について、図４〜７を参照して説明する。上述の図４および図５は、プリンターの側断面図であり、開閉カバーと第２押えローラー取り付け部材とが閉じた状態を示している。図６は、開閉カバーが開いた状態を示すプリンターの側断面図であり、図７は、開閉カバーと第２押えローラー取り付け部材とが開いた状態を示すプリンターの側断面図である。なお、図６および図７に示すＸ方向、Ｙ方向およびＺ方向は、図１に示すＸ方向、Ｙ方向およびＺ方向と同一な方向を示す。
【００５５】
図４および図５に示すように、プリンター１０の記録時および待機時では、外装ケース１１の開閉カバー１３は、本体ケース１２の上ケース１２ａに対して閉じた状態である。また、記録媒体搬送機構３０の第２押えローラー取り付け部材４４は、矢印Ｂ（＋）方向に位置し、第２押えローラー取り付け部材４４に回転自在に取り付けられた複数の第２押えローラー４３は、対応する第２送りローラー４２に圧接した状態になっている。この状態で記録媒体に対する記録作業や搬送作業が行われる。
【００５６】
第２押えローラー取り付け部材４４は、プラスチック等の成形品が好適に適用され、複数の第２押えローラー４３が回転自在に取り付けられるとともに、図中Ｘ（＋）方向の端部に回動支点４５を有し、回動支点４５を中心に図中矢印Ｂ方向に回動可能となっている。また、第２押えローラー取り付け部材４４には、例えば２安定ばねとしての機能を有する図示しない押圧ばねが取り付けられ、閉じられた状態では第２押えローラー４３と第２送りローラー４２とが圧接した状態で安定し、開かれた状態では第２押えローラー４３が取り付けられた面４４ａ（図７参照）が露出する状態で安定する。
【００５７】
第２押えローラー取り付け部材４４は、第２押えローラー４３が取り付けられた面４４ａと相対する面４４ｂを有し、面４４ｂには突起部４６（図６参照）が形成されている。突起部４６は、第２押えローラー取り付け部材４４を矢印Ｂ方向に回動させるツマミとしての機能を有するとともに、開いた状態で、開閉カバー１３の内面である第１面１３ｂに対して接する度当りとしての機能を有する。
【００５８】
リボンカセット８０の交換や各機構のメンテナンスを行う場合は、図６に示すように、開閉カバー１３を搬送経路３２近傍にある回動支点１３ａを中心に図中矢印Ａ（−）方向に回動させ、開閉カバー１３のみを開いて、所定の作業を実施する。この場合は、第２押えローラー４３と第２送りローラー４２とが圧接した状態になっている。
【００５９】
但し、例えば記録媒体の詰まりや機構の修理等のさらなる作業が発生した場合は、図７に示すように、第２押えローラー取り付け部材４４の突起部４６を把持し、第２押えローラー取り付け部材４４を、回動支点４５を中心に矢印Ｂ（−）方向に回動させ、第２押えローラー取り付け部材４４を開く。第２押えローラー取り付け部材４４が開いた状態では、第２送りローラー４２と第２押えローラー４３とは離反させられ、搬送経路３２の多くの範囲が露出する。このような状態では、例えば、搬送経路３２上に詰まっている記録媒体を容易に除去することができる。また、露出範囲が大きいためその他の作業が容易に行える。
【００６０】
また、このとき、第２押えローラー取り付け部材４４の第２押えローラー４３が露出している面４４ａと相対する面４４ｂもしくは面４４ｂに設けられる突起部４６は、開閉カバー１３の内面である第１面１３ｂと接している。すなわち、このような状態が確保されると、開閉カバー１３の第１面１３ｂの回動領域内に、第２押えローラー取り付け部材４４の面４４ｂもしくは突起部４６の回動範囲を設定することができる。
【００６１】
所望の作業が終わった場合は、開状態の開閉カバー１３を閉じればよい。開閉カバー１３を閉じると、開閉カバー１３の第１面１３ｂの矢印Ａ（＋）方向の回動動作に伴って、第２押えローラー取り付け部材４４の面４４ｂもしくは突起部４６が、回動支点４５を中心に矢印Ｂ（＋）方向に回動する。第２押えローラー取り付け部材４４には２安定ばねとしての押圧ばねが取り付けられているため、所定の範囲以上回動すると押圧ばねのばね力によって、第２押えローラー取り付け部材４４は、自ら回動を始め第２押えローラー４３と第２送りローラー４２とが圧接した状態、すなわち、図４および図５に示すプリンター１０の記録時および待機時の状態で安定する。
【００６２】
以下、本実施形態の効果を記載する。
（１）上述のプリンター１０は、本体ケース１２に設けられた開閉カバー１３を開くことによって、記録媒体搬送機構３０の第２押えローラー４３を支持する第２押えローラー取り付け部材４４、搬送経路３２の一部、および記録ヘッド５１の移動範囲を露出させることができる。さらに、第２押えローラー取り付け部材４４は、回動されることによって、第２送りローラー４２と第２押えローラー４３とを離反し、第２送りローラー４２部分を露出することができる。そのため、異なる仕様の記録媒体を異なる方向から挿入し、記録媒体が周辺の部品や機構に引っ掛かったりする不具合が発生したとしても、開閉カバー１３や第２押えローラー取り付け部材４４を回動操作することによって、容易に除去し回復させることができる。その結果、異なる仕様の記録媒体であっても安定した記録媒体の搬送が実現できる。
【００６３】
（２）上述のプリンター１０は、開閉カバー１３および第２押えローラー取り付け部材４４を独立して開くことができる。そのため、例えば、リボンカセット８０の交換等のメンテナンスのときは、開閉カバー１３のみを開いて実施し、記録媒体の引っ掛かりの除去や記録ヘッド５１のメンテナンスのときは、第２押えローラー取り付け部材４４をも開いて実施する等、状況に応じた動作を行うことができる。また、開閉カバー１３および第２押えローラー取り付け部材４４が共に開いてメンテナンス等を行った場合は、開閉カバー１３を閉じることによって第２押えローラー取り付け部材４４が自動的に閉じることができる。そのため、第２押えローラー取り付け部材４４の閉め忘れを防止できるとともに、作業動作を低減することができる。その結果、メンテナンス等の作業が容易な使い勝手のよいプリンター１０を提供することができる。
【００６４】
（３）上述のプリンター１０は、記録媒体として、複数枚の用紙からなるファンフォールド紙Ｆ、厚みの異なる単票、用紙が積層され一辺が綴じられた冊子、複数枚が積層された単票等様々な種類の記録媒体に情報を記録することができる。そのため、より汎用性の高いプリンター１０を提供できる。
【００６５】
以上、本発明の実施形態について説明したが、上記実施形態に対しては、本発明の趣旨から逸脱しない範囲で様々な変形を加えることができる。
【符号の説明】
【００６６】
１０…プリンター、１１…外装ケース、１２…本体ケース、１３…開閉カバー、１３ｂ…第１面、１４…給排出口、１５…供給口、２０…プリンター本体、３０…記録媒体搬送機構、３２…搬送経路、３３…トラクターユニット、３５…第１搬送ローラー対、３６…第１送りローラー、３７…第１押えローラー、４１…第２搬送ローラー対、４２…主動ローラーとしての第２送りローラー、４３…従動ローラーとしての第２押えローラー、４４…支持部材としての第２ローラー取り付け部材、４５…回動支点、４６…突起部、５０…記録機構、５１…記録ヘッド、６０…キャリッジ、７０…キャリッジ移動機構、７５…リボン送り機構、８０…リボンカセット、Ｆ…ファンフォールド紙、Ｔ…単票用紙。
【図１】
2016147423.tif 000003
【図２】
2016147423.tif 000004
【図３】
2016147423.tif 000005
【図４】
2016147423.tif 000006
【図５】
2016147423.tif 000007
【図６】
2016147423.tif 000008
【図７】
2016147423.tif 000009